(57)【要約】【課題】抗菌性能を必要な部分にのみ発揮させて施工の合理化を図れ、且つ、耐久性にも優れた抗菌性コンクリート床の構築方法の提供。【解決手段】打設したコンクリート１が硬化する前に、打設したコンクリート１の表面に所定量の細粒状の抗菌剤３，３...を水中に分散させてなる抗菌剤スラリー２を散布し、抗菌剤スラリー２が散布されたコンクリート１表面を均しつつ、打設したコンクリート１の表層部に抗菌剤３，３...を含浸させ、然る後、打設したコンクリート１の硬化によりコンクリート床５の表層部に抗菌剤３，３...を含有する抗菌性コンクリート層５が形成される。【選択図】図１
2014173236.tif 000002
【特許請求の範囲】
【請求項１】
打設したコンクリートが硬化する前に、該打設したコンクリートの表面に所定量の細粒状の抗菌剤を水中に分散させてなる抗菌剤スラリーを散布し、該抗菌剤スラリーが散布されたコンクリート表面を均しつつ、前記打設したコンクリートの表層部に前記抗菌剤を含浸させ、然る後、前記打設したコンクリートの硬化によりコンクリート床の表層部に前記抗菌剤を含有する抗菌性コンクリート層が形成されることを特徴としてなる抗菌性コンクリート床の構築方法。
【請求項２】
前記抗菌剤スラリーを散布する作業と、該抗菌剤スラリーが散布されたコンクリート表面を均す作業とからなる抗菌剤散布拡散工程を、間隔をおいて複数回繰り返す請求項１に記載の抗菌性コンクリート床の構築方法。
【請求項３】
前記抗菌剤スラリーが散布されたコンクリート表面を均す作業において、鏝体により前記コンクリート表面を押圧する請求項１又は２に記載の抗菌性コンクリート床の構築方法。
【発明の詳細な説明】
【技術分野】
【０００１】
本発明は、抗菌性能を有するコンクリート床を構築するための抗菌性コンクリート床の構築方法に関する。
【背景技術】
【０００２】
医療施設や高齢者施設等の施設建造物においては、衛生管理の省力化や施設内感染拡大防止を図るため、室内床部を構成するコンクリート床に抗菌性を有する抗菌性コンクリート床を使用し、コンクリート床自体に永続的な抗菌作用を発揮させることが考えられている。
【０００３】
従来、このような抗菌性コンクリート床を構築するには、コンクリートの打設前にアジテータ等の混練手段に細粒状の抗菌剤を投入して生コンクリートと混練し、それを打設する方法（例えば、特許文献１を参照）、コンクリート床に使用される骨材に抗菌剤を含浸させたものを使用する方法（例えば、特許文献２を参照）が知られている。
【０００４】
また、その他の抗菌性コンクリート床を構築する方法として、コンクリート床構築用型枠の内側面に少なくとも粉末状の抗菌剤と水溶性糊剤との混合物を含む液体を塗布しておき、この型枠にコンクリートを打設することにより、型枠面からコンクリート内部に抗菌剤を含浸させ、液体を塗布した型枠材と対向するコンクリート表面に抗菌剤を含有させる工法も知られている（例えば、特許文献３を参照）。
【０００５】
更には、生コンクリートを打ち込んだ後、打設した生コンクリートの表面層が硬化する前に、少なくともセメント、骨材及び無機系抗菌剤を含む抗菌性混合粉体を打設コンクリート表面層に均一に散布し、当該抗菌性混合粉体がブリーディングによりコンクリート表層に浮き上がった余剰水を吸収してこれと水和することにより、打設コンクリートの表面層と一体化した抗菌性コンクリート層を形成するようにした工法も開発されている（例えば、特許文献４を参照）。
【先行技術文献】
【特許文献】
【０００６】
【特許文献１】特開平１１  −０７９９２０号公報
【特許文献２】特開２００８−２１４１６０号公報
【特許文献３】特開平０９  −２６３４６６号公報
【特許文献４】特開平０８  −１８４１６５号公報
【発明の概要】
【発明が解決しようとする課題】
【０００７】
しかしながら、特許文献１に記載された従来の技術では、アジテータ等の混練手段に抗菌剤を投入し混練する為、アジテータ等の混練手段の容器内に抗菌剤が付着したまま残留してしまうおそれがあり、その為、同日に当該アジテータ等の混練手段を他の種類のコンクリートの製造に使用することが困難であった。
【０００８】
また、施工現場において、アジテータ等の混練手段を用いて一定の粘度を有する生コンクリートに抗菌剤を練り混ぜるには、高速で攪拌を行う必要があり、市街地ではその際の騒音や振動の発生が問題となることもあった。更に、その際の練り混ぜが不十分であると抗菌剤が生コンクリート内に均一に分散せず、抗菌効果が安定して発揮されないおそれがあった。
【０００９】
特許文献２に記載された従来の技術では、抗菌剤がその効果を発揮するにはコンクリート床の表面に露出することが必要であるところ、骨材に含浸させた抗菌剤が骨材より分離しコンクリート床表面に露出するとは限らず、確実にコンクリート床が抗菌作用を発揮するとは言い難いものであった。
【００１０】
更に、抗菌剤を骨材に含浸させるには、特殊な設備を必要とし、一般の骨材プラントや生コンクリート工場では製造が困難であるという問題があった。
【００１１】
また、特許文献１及び特許文献２の如き従来の技術は、抗菌効果を必要とするコンクリート床表面に抗菌剤を露出させるためだけに、コンクリート床全体に抗菌剤又は抗菌剤を含浸させた骨材を散在させなければならないため、使用される抗菌剤の大半がその機能を発揮しないこととなり合理的工法とは言い難いものであり、また、必要以上の量を必要とすることから、その分施工費用が嵩むという問題があった。
【００１２】
特許文献３に記載された従来の技術では、抗菌剤を含む液体が塗布された型枠材に一定量の抗菌剤が含浸してしまいコンクリート側に浸透せず、所望の抗菌効果が得られないおそれがあった。また、型枠に用いられる剥離剤との相性や併用の可否についても検討を要し、場合によっては使用できない場合があった。
【００１３】
更に、コンクリート床を構築する際、床表面と対向する配置に型枠材を用いることがない場合には、必要とする部分に抗菌効果が得られないという問題があった。
【００１４】
特許文献４に記載された従来の技術では、コンクリート床の摩耗や剥離等による経年的な劣化に伴い、コンクリート床表面に露出した抗菌剤も減少すると考えられ、抗菌効果の長期持続が望まれている。
【００１５】
そこで本発明は、このような従来の問題に鑑み、抗菌性能を必要な部分にのみ発揮させて施工の合理化を図れ、且つ、耐久性にも優れた抗菌性コンクリート床の構築方法の提供を目的としてなされたものである。
【課題を解決するための手段】
【００１６】
上述の如き従来の問題を解決するための請求項1に記載の発明の特徴は、打設したコンクリートが硬化する前に、該打設したコンクリートの表面に所定量の細粒状の抗菌剤を水中に分散させてなる抗菌剤スラリーを散布し、該抗菌剤スラリーが散布されたコンクリート表面を均しつつ、前記打設したコンクリートの表層部に前記抗菌剤を含浸させ、然る後、前記打設したコンクリートの硬化によりコンクリート床の表層部に前記抗菌剤を含有する抗菌性コンクリート層が形成される抗菌性コンクリート床の構築方法にある。
【００１７】
請求項２に記載の発明の特徴は、請求項１の構成に加え、前記抗菌剤スラリーを散布する作業と、該抗菌剤スラリーが散布されたコンクリート表面を均す作業とからなる抗菌剤散布拡散工程を、間隔をおいて複数回繰り返すことにある。
【００１８】
請求項３に記載の発明の特徴は、請求項１又は２の構成に加え、前記抗菌剤スラリーが散布されたコンクリート表面を均す作業において、鏝体により前記コンクリート表面を押圧することにある。
【発明の効果】
【００１９】
本発明に係る抗菌性コンクリート床の構築方法は、上述したように、打設したコンクリートが硬化する前に、該打設したコンクリートの表面に所定量の細粒状の抗菌剤を水中に分散させてなる抗菌剤スラリーを散布し、該抗菌剤スラリーが散布されたコンクリート表面を均しつつ、前記打設したコンクリートの表層部に前記抗菌剤を含浸させ、然る後、前記打設したコンクリートの硬化によりコンクリート床の表層部に前記抗菌剤を含有する抗菌性コンクリート層が形成されることにより、抗菌剤を打設されたコンクリート表層部に含浸させるので、コンクリート表層部にのみ抗菌剤を有する抗菌コンクリート層を形成することができるとともに、抗菌剤の使用量を抑え、抗菌性コンクリート床の施工を合理化することができる。
【００２０】
また、本発明において、前記抗菌剤スラリーを散布する作業と、該抗菌剤スラリーが散布されたコンクリート表面を均す作業とからなる抗菌剤散布拡散工程を、間隔をおいて複数回繰り返すことにより、抗菌剤をコンクリート表層部に段階的に浸透させ、コンクリート表層部に一定の深さの抗菌コンクリート層を形成でき、抗菌効果を長期間持続することができる。
【００２１】
更にまた、本発明において、前記抗菌剤スラリーが散布されたコンクリート表面を均す作業において、鏝体により前記コンクリート表面を押圧することにより、抗菌剤を好適にコンクリート表層部に含浸させることができる。
【図面の簡単な説明】
【００２２】
【図１】本発明に係る抗菌性コンクリート床の構築方法における各工程のコンクリート表面部の状態を模式的に表す部分拡大断面図である。
【発明を実施するための形態】
【００２３】
次に、本発明に係る抗菌性コンクリート床の構築方法の実施態様を図１に示す実施例に基づいて説明する。尚、図１（ａ）〜（ｆ）は、抗菌性コンクリート床を構築する各工程のコンクリート表面部の状態を模式的に表す部分拡大断面図である。
【００２４】
本発明方法では、事前準備として、コンクリート床用の生コンクリート１及び抗菌剤スラリー２を用意する。
【００２５】
生コンクリート１は、特に限定されるものではないが、一般にＲＣ構造物等のコンクリート構造物の構築に用いられるように配合且つ混錬されたものを使用する。
【００２６】
抗菌剤スラリー２は、所定量の細粒状の抗菌剤３，３...を水中に分散（懸濁）させたものであって、必要に応じて添加材を加えて調整され、水中に細粒状の抗菌剤３，３...が均等に分散されている。
【００２７】
抗菌剤３，３...は、特に限定されないが、水溶性、安全性などを鑑み無機抗菌剤を使用することが好ましく、例えば、無機化合物に抗菌性を有する銀イオン等の金属イオンを担持させたものであって、平均粒径が２．５μｍ程度の微細粒状に形成されたもの等が用いられる。
【００２８】
金属イオンには、主に銀イオンが使用されるが、その他、銅イオン、亜鉛イオン、ナトリウムイオン等を使用でき、また、それらを組合せたものであってもよい。
【００２９】
無機化合物は、特に限定されないが、例えば、ゼオライト等の無機イオン交換体や活性炭等の無機系吸着剤等が用いられる。
【００３０】
尚、この細粒状の抗菌剤３，３...及び抗菌剤スラリー２には、既製の市販品を使用してもよく、具体的には、シナネンゼオミック社製「ゼオミック（銀イオンを含む抗菌ゼオライト剤）」等が挙げられる。
【００３１】
この生コンクリート１及び抗菌剤スラリー２を使用して抗菌性コンクリート床を構築するには、まず、図１(ａ)に示すように、コンクリート床構築用の型枠（図示せず）に生コンクリート１を打設する。
【００３２】
次に、図１（ｂ）〜（ｅ）に示すように、この打設したコンクリート１が硬化する前であって、コンクリート１表面の荒均し作業時に、打設したコンクリート１の表面全体に噴霧器等を使用して抗菌剤スラリー２を散布し、抗菌剤スラリー２が散布されたコンクリート１表面を均しつつ、打設したコンクリート１の表層部に抗菌剤３，３...を含浸させる。
【００３３】
その際、抗菌剤スラリー２を散布する作業と、抗菌剤スラリー２が散布されたコンクリート１表面を均す作業とからなる抗菌剤散布拡散工程を、時間間隔をおいて複数回繰り返し、抗菌剤３，３...をコンクリート１表面層に段階的に含浸させることが好ましい。
【００３４】
各抗菌剤散布拡散工程は、コンクリート１表面の乾き具合に合わせて行い、特にその時期は限定されないが、例えば、標準的なコンクリート床構築の際に行われる仕上げ作業の時期に合わせ、１回目を浸み出したブリーディング水が引いた時点で行い、２回目をコンクリート１表面に触れると指跡が残る程度まで硬化が進行した時点で行い、３回目をコンクリート１表面が強く押すことで漸く指跡が残る程度まで硬化が進行した時点で行う。
【００３５】
尚、抗菌剤スラリー２の総散布量は、単位床面積当たりの抗菌剤量が所望の抗菌作用を発揮するのに必要とされる量を目安とし、例えば、病院施設等の施設においては、単位面積当たりの標準使用量である約１０ｇ／ｍ２である。
【００３６】
また、各回の散布量は、コンクリート１表面の乾き具合を勘案してそれぞれ適量ずつ散布する。
【００３７】
また、各抗菌剤散布拡散工程では、抗菌剤スラリー２の散布後、定木やトンボを使用してコンクリート１表面を均すことにより、図１（ｂ）（ｄ）に示すように、抗菌剤スラリー２をコンクリート１表面部に均一に拡散させ、しかる後、図１（ｃ）（ｅ）に示すように、そのコンクリート１表面を金コテ等の鏝体４により押圧して押え仕上げを行う。
【００３８】
これにより、各抗菌剤散布拡散工程において、抗菌剤スラリー２がコンクリート１表面部に均一に拡散させた状態で打設されたコンクリート１の表面に浸透し、抗菌剤スラリー２に含まれる細粒状の抗菌剤３，３...が当該コンクリート１表層部に含浸される。
【００３９】
そして、コンクリート１表面の状態に合わせて、表面が乾かないように湿潤養生しつつ、コンクリート１を硬化させることにより、図１（ｆ）に示すように、表層部に抗菌剤３，３...を含有する抗菌性コンクリート層５を有する抗菌性コンクリート床６が形成される。
【００４０】
このように構成された方法により構築された抗菌性コンクリート床６は、コンクリート１の表層部にのみ抗菌剤３，３...を有する抗菌性コンクリート層５が形成されるので、抗菌剤３，３...の使用量を抑え、抗菌性コンクリート床６の施工を合理化することができる。
【００４１】
また、本発明方法では、抗菌剤３，３...をコンクリート１が硬化する前にその表層部に含浸させ、しかる後、コンクリート１を硬化させるので、抗菌剤３，３...がコンクリート床表層部に強固に保持される。
【００４２】
更に、本発明方法では、図１（ｂ）〜（ｅ）に示すように、抗菌剤散布拡散工程を複数回繰り返すことにより、抗菌剤３，３...がコンクリート１表層部に段階的に含浸され、抗菌剤３，３...がコンクリート１表面から数ｍｍの深さまで到達しているので、コンクリート床の経年劣化が生じても常に新たな抗菌剤３，３...がコンクリート床表面に露出し、永続的に抗菌効果が持続する。
【００４３】
更にまた、抗菌剤散布拡散工程において、水分を有する抗菌剤スラリーをコンクリート表面の乾き具合に合わせて散布することにより、コンクリート表面に水分を供給し、コンクリート硬化後のひび割れ等を防止することができる。
【符号の説明】
【００４４】
１  コンクリート
２  抗菌剤スラリー
３  抗菌剤
４  鏝体
５  抗菌性コンクリート層
６  抗菌性コンクリート床
【図１】
2014173236.tif 000003